(57)【要約】【課題】電源タップに接続された機器の状態を複雑な配線やプログラムの設定を必要とせずに制御可能とすること。【解決手段】プログラマブルコントローラ２２を内蔵した電源タップ１０と、電源タップ１０のコンセント口に接続された機器の状態を検出するセンサ付きＩＣタグ５４，５６と、上記センサ付きＩＣタグ５４，５６からの情報を読出すＩＣタグリーダ５８とを備え、プログラマブルコントローラ２２はＩＣタグリーダ５８で読出したＩＣタグ情報から電源タップ１０のコンセント口に接続した機器の状態を制御することが可能になっている構成。【選択図】図１
2008211292.tif 000002
【特許請求の範囲】
【請求項１】
少なくともＡＣプラグとコンセント口とを接続制御することが可能なプログラマブルコントローラを内蔵した電源タップと、そのコンセント口に接続された機器の状態を検出するセンサ付きＩＣタグと、上記ＩＣタグからの情報を読出すＩＣタグリーダと、を備え、上記プログラマブルコントローラはＩＣタグリーダで読出したＩＣタグ情報から上記コンセント口に接続した機器の状態を制御することが可能になっている、ことを特徴とする機器制御システム。
【請求項２】
電力線通信モデムにより交流電力に重畳されている機器の制御情報を受信し、この受信した制御情報によりプログラマブルコントローラにより上記電源タップのコンセント口にＡＣプラグが接続されている機器に対する電源をオンオフ制御することが可能になっている請求項１に記載の機器制御システム。
【発明の詳細な説明】
【技術分野】
【０００１】
本発明は、制御情報を交流電力に重畳して送信する電力線搬送通信により機器の電源を遠隔制御する機器制御システムに関するものである。
【背景技術】
【０００２】
従来から、宅外より例えば携帯通信端末を使ってあるいは宅内設置のパーソナルコンピュータを使って、ファン、ヒーター、エアコン、冷蔵庫、電子レンジ、テレビ等の家電機器の状態を遠隔制御することができるようにした機器制御システムが知られている（例えば、特許文献１、２参照）。しかしながら、このような機器制御システムでは、配線等の工事が必要であったり、プログラム等の設定等が必要となり、大変煩わしい手間がかかる、等の理由から一般に普及されていないのが現状である。
【特許文献１】特開２００４−２１５１３１
【特許文献２】特開２００４−２１４９３７
【発明の開示】
【発明が解決しようとする課題】
【０００３】
本発明は、配線や制御のためのソフトウエアの設定等の煩雑な作業や手間を要せず、電源タップのコンセント口に接続された機器の状態を遠隔制御することができるようにすることである。
【課題を解決するための手段】
【０００４】
本発明による機器制御システムは、少なくともＡＣプラグとコンセント口とを接続制御することが可能なプログラマブルコントローラを内蔵した電源タップと、そのコンセント口に接続された機器の状態を検出するセンサ付きＩＣタグと、上記ＩＣタグからの情報を読出すＩＣタグリーダと、を備え、上記プログラマブルコントローラはＩＣタグリーダで読出したＩＣタグ情報から上記コンセント口に接続した機器の状態を制御することが可能になっていることを特徴とするものである。
【０００５】
本発明によると、電源タップのコンセント口に接続された各種機器の状態をセンサ付きＩＣタグで検出し、上記ＩＣタグからの情報をＩＣタグリーダで読出すと共にこのＩＣタグリーダで読出したタグ情報からプログラマブルコントローラを制御して上記機器の状態を制御することが可能であるので、配線や制御のためのソフトウエアの設定等の煩雑な作業や手間を要せず、電源タップのコンセント口に接続された機器の状態を遠隔制御することができる。
【０００６】
本発明では、電力線通信モデムにより交流電力に重畳されている機器の制御情報を受信し、この受信した制御情報によりプログラマブルコントローラにより上記電源タップのコンセント口にＡＣプラグが接続されている機器に対する電源をオンオフ制御することを可能にしてもよい。こうした場合、電源タップのコンセント口に接続した機器の電源を電力線搬送通信により遠隔制御することができる。
【０００７】
以上の本発明ではその具体用途として以下を挙げることができる。
【０００８】
例えば上記機器をファン、ヒータ等の機器とし、上記センサを温度センサとして、その温度センサからの温度検出情報とＩＣタグ情報とに基づいて、コンセント口に接続した機器を特定し、その機器の電源をオンオフ制御すれば、ファン、ヒータ等の機器自身に温度制御機能を備えずとも、その温度制御を行うことができる。
【０００９】
また上記機器をガス器具とし、上記センサを温度センサないしはガスセンサとして、温度センサないしはガスセンサからの検出情報とＩＣタグ情報とに基づいて、コンセント口に接続したガス器具を特定し、そのガス器具に対応したガス器具遮断装置を駆動してガス器具を自動遮断することができる。
【００１０】
また、上記機器をフェリカ機能付き携帯電話とし、その携帯電話のフェリカタグがＩＣタグリーダで認識されると、プログラマブルコントローラはそのＩＣタグリーダの認識に応答して電源タップのコンセント口に接続されているパーソナルコンピュータの電源を立ち上げることができる。
【００１１】
その他として例えば上記機器を照明器具、上記センサを照度センサとして、その照度センサ付きのＩＣタグからの情報に基づいて、コンセント口に接続した照明器具を特定し、その照明器具に対する電源をオンオフ制御して照明制御を行うことができる。
【００１２】
また、上記機器を駐車場の開閉バー等の扉駆動装置とし、上記センサを駐車場に接近する車両を検出する近接センサとし、その近接センサ付きのＩＣタグからの情報に基づいて、電源タップのコンセント口に接続した扉駆動装置に対応した駐車場を特定し、その駐車場の扉駆動装置の電源をオンオフ制御して開閉バー等の扉を自動開閉してその駐車場と例えば契約する車両の駐車を可能とすることができる。
【発明の効果】
【００１３】
本発明によれば、配線や制御のためのソフトウエアの設定等の煩雑な作業や手間を要せず、電源タップに接続された機器の状態を遠隔制御することができる。
【発明を実施するための最良の形態】
【００１４】
以下、添付した図面を参照して、本発明の実施の形態に係る機器制御システムを説明すると、図１は、機器制御システムのブロック構成を示す。
【００１５】
図１を参照して、この機器制御システムでは機器の制御に電源タップ１０を用いる。この電源タップ１０は、商用電源に接続されるＡＣプラグ１２と、ＡＣプラグ１２を一端側に備えた電源コード１４と、電源コード１４の他端側に接続されかつＡＣプラグ１２から電源コード１４を介して供給されてくる電源が分配される複数のコンセント口１６ａ−１６ｄを有するタップ本体１８と、を備える。
【００１６】
タップ本体１８は、電力線搬送信号の形態として交流電力に重畳されている機器制御条件を示す通信信号を処理する電力線通信モデム２０と、電力線通信モデム２０からの通信信号の入力内容に応答してコンセント口１６ａ−１６ｄに接続された機器に対しての電源をオンオフ制御するプログラマブルコントローラ２２と、ＡＣプラグ１２の電力線から供給される交流を直流に変換しその変換した直流を電力線通信モデム２０とプログラマブルコントローラ２２にその作動電源として供給するＡＣ／ＤＣ電源２４と、内部ネットワーク機器である例えばパーソナルコンピュータ２８のＵＳＢコネクタが接続されるイーサネット（登録商標）インターフェース２６と、温度センサ付きＩＣタグ５４，５６からの情報を読出すＩＣタグリーダ５８と、を備える。
【００１７】
また、タップ本体１８のコンセント口１６ａ−１６ｄにはファン５０やヒーター５２のＡＣプラグ５０ａ、５２ａが接続されている。ファン５０やヒーター５２にはそれぞれの状態を検出する温度センサ付きＩＣタグ５４，５６が貼り付けられている。
【００１８】
ＩＣタグ５４，５６からは無線でＩＣタグリーダ５８に対して温度センサからの温度検出情報と共にＩＣタグ情報が送信されるようになっている。ＩＣタグリーダ５８は温度検出情報とＩＣタグ情報を読み出し、その読み出した情報をプログラマブルコントローラ２２に送信する。プログラマブルコントローラ２２はＩＣタグリーダ５８が読出した情報に基づいて上記ファン５０やヒーター５２への電源オンオフを制御するようになっている。
【００１９】
温度センサ付きＩＣタグ５４，５６は、ＲＦＩＤ技術を応用したＲＦＩＤタグに、コイルからなる温度センサを付加し、全体を樹脂モールド等で一体化して構成することができる。温度センサには一般に電源が必要であるが、ＩＣタグ５４，５６の電源回路を利用して温度センサを駆動するようにすれば、簡単に電力供給することができる。また、ＩＣタグ５４，５６に、所定以上の動作電力があれば温度センサの入力を取り込んで所定の記憶処理を行うセンサ入力処理手段を設けておくことで、温度センサの出力を安定して記憶することができる。ＩＣタグ５４，５６は、伝送方式として静電結合、電磁結合、電磁誘導、マイクロ波、光などいずれの伝送形式のものとしても良い。
【００２０】
実施の形態の機器制御システムでは、ＩＣタグ情報からそのＩＣタグに対応した電源タップ１０のコンセント口１６ａ−１６ｄに接続してある機器を特定し、温度検出情報からその機器の状態を制御するようプログラマブルコントローラ２２により電源のオンオフを制御することができるので、ファン５０やヒーター５２等の制御対象機器が温度制御機能を備えていなくても、温度検出情報に対応してその機器の電源のオンオフを制御してこれらを適正に動作させることができる。
【００２１】
また、この温度センサはそれらファン５０やヒーター５２が設置してある室内の温度の検出だけでなく、例えば、その室内に居住する人の体温等を温度検出情報としてそれらファン５０やヒーター５２の状態を制御することができるようにしてもよい。
【００２２】
図２を参照して他の実施の形態の機器制御システムを説明すると、この機器制御システムでは、コンセント口１６ａ−１６ｄに接続された機器であるガス器具６０の状態を検出するガス器具状態センサ付きのＩＣタグ６２と、上記ＩＣタグ６２からの情報を読出すＩＣタグリーダ５８と、ガス器具６０を遮断側に駆動することができるガス器具遮断装置６１と、を備える。ガス器具遮断装置６１の遮断構造は特には詳細に説明しないが、例えば、ガス器具６０のガス元栓を開閉駆動するものである。
【００２３】
ＩＣタグリーダ５８はＩＣタグ６２から送信されてきたガス器具状態センサによる温度検出情報とＩＣタグ情報とをプログラマブルコントローラ２２に入力する。プログラマブルコントローラはその情報に基づいてガス器具遮断装置６１の駆動電源をオンオフ制御してガス器具６０を遮断制御することが可能になっている。
【００２４】
ガス器具６０の状態としてはガス器具６０で鍋等が異常加熱されて鍋底の油に引火している場合では、上記ガス器具状態センサとしては温度センサを選択することができ、また、ガス器具６０からガスが漏れている場合ではガス器具状態センサとしてはガスセンサを選択することができる。
【００２５】
また、上記異常な状態が発生した場合では電力線搬送通信で電源タップ１０のＡＣプラグ１２に接続しているコンセント口から電力線で緊急情報例えば火災情報を外部に伝送可能としてもよい。
【００２６】
図３を参照してさらに他の実施の形態の機器制御システムを説明すると、この機器制御システムは、コンセント口１６ａ−１６ｄに接続された機器として例えばパーソナルコンピュータ６４等が接続されている。この機器制御システムではフェリカ（Ｆｅｌｉｃａ：登録商標）機能付き携帯電話６６を用いる。このフェリカ機能もセンサ付きＩＣタグと称することができる。
【００２７】
利用者はフェリカ機能付き携帯電話６６をＩＣタグリーダ５８の近くに持ってきてＩＣタグリーダ５８でその携帯電話６６におけるＩＣタグを認識させると、ＩＣタグリーダ５８からは携帯電話６６のＩＣタグ認識出力がプログラマブルコントローラ２２に与えられる。プログラマブルコントローラ２２はＩＣタグリーダ５８からの上記認識出力により電源タップ１０のコンセント口１６ａ−１６ｄに接続されているパーソナルコンピュータ６４の電源を立ち上げる。
【００２８】
以上説明したように実施の形態では電源タップ１０のコンセント口１６ａ−１６ｄに接続された各種機器の状態をセンサ付きＩＣタグ等で検出し、上記ＩＣタグ等からの情報をＩＣタグリーダ５８で読出すと共にこのＩＣタグリーダ５８で読出したタグ情報からプログラマブルコントローラ２２を制御して各種機器の状態を制御することが可能である。
【図面の簡単な説明】
【００２９】
【図１】図１は本発明の実施の形態に係る機器制御システムの概略構成を示す図である。
【図２】図２は本発明の他の実施の形態に係る機器制御システムの概略構成を示す図である。
【図３】図３は本発明のさらに他の実施の形態に係る機器制御システムの概略構成を示す図である。
【符号の説明】
【００３０】
１０  電源タップ
１２  ＡＣプラグ
１４  電源コード
１６ａ−１６ｄ  コンセント口
１８  タップ本体
２０  電力線通信モデム
２２  プログラマブルコントローラ
２４  ＡＣ／ＤＣ電源
２６  イーサネット（登録商標）インターフェース
５０  ファン
５２  ヒーター
５４，５６  温度センサ付きＩＣタグ
５８  ＩＣタグリーダ
【図１】
2008211292.tif 000003
【図２】
2008211292.tif 000004
【図３】
2008211292.tif 000005